(57)【特許請求の範囲】
【請求項１】
光受信器の自己診断装置において、
入力光信号を電気的受信信号に変換する光電変換部と、
前記光電変換部から出力された受信信号を増幅する増幅部と、
前記増幅された受信信号を予め設定された時間だけ遅延した遅延信号と前記受信信号とを排他的論理和演算した認識信号を出力する伝送速度判別部と、
前記受信信号を受信して基準クロックに基づいてクロック及びデータを再生して出力するクロック／データ再生部と、
伝送速度変換信号に応答して前記基準クロックを発生する伝送速度信号発生部と、
前記光受信器の内部温度感知信号を出力する温度感知部と、
前記温度感知信号に対応する光受信器の内部温度と前記伝送速度判別部から出力された認識信号の電圧レベルとに基づいて、予め貯蔵された温度による電圧レベル変化値から選択された値により受信信号の伝送速度を判断し、前記判断された伝送速度に基づいて伝送速度変換信号を出力する制御部と、を含むことを特徴とする光受信器の自己診断装置。
【請求項２】
前記クロック／データ再生部から出力されるロッキング信号をフィルタリングして前記制御部に出力する信号安定化部をさらに備えることを特徴とする請求項１に記載の光受信器の自己診断装置。
【請求項３】
温度感知部、伝送速度判別部及びクロック／データ再生部を備えた光受信器の自己診断方法において、
ロス信号があるか否かによって光信号が受信されたか否かを判断する光信号受信判断段階と、
光信号が受信されたと判断された場合、クロック／データ再生部から出力されるロッキング信号があるか否かによって前記クロック／データ再生部の安定化を判断するクロック／データ再生部安定化判断段階と、
前記クロック／データ再生部が安定化されていない場合、前記温度感知部から出力された内部温度感知信号から光受信器の内部温度を検出する現在温度検出段階と、
前記伝送速度判別部から出力された直流レベルを検出する直流レベル検出段階と、
予め貯蔵された温度による直流レベル変化テーブルに基づいて、前記現在温度検出段階及び直流レベル検出段階でそれぞれ検出された光受信器の現在内部温度と直流レベルとに基づいて、受信信号の伝送速度を判断する伝送速度判断段階と、
前記伝送速度判断段階で判断された伝送速度に基づいて前記クロック／データ再生部に伝送速度変換信号を出力する伝送速度変換信号出力段階と、を含むことを特徴とする光受信器の自己診断方法。
【発明の詳細な説明】
【０００１】
【発明の属する技術分野】
本発明は光通信システム（Ｏｐｔｉｃａｌ  Ｃｏｍｍｕｎｉｃａｔｉｏｎ  Ｓｙｓｔｅｍ）に関したもので、特に、光電回線分配装置（Ｏｐｔｉｃａｌ  Ｃｒｏｓｓ−Ｃｏｎｎｅｃｔ  Ｄｅｖｉｃｅ）の光受信器に関する。
【０００２】
【従来の技術】
光通信システムにおいて、中央基地局のような上位ノード（Ｕｐｐｅｒ  ｎｏｄｅ）と加入者のような下位ノード（Ｌｏｗｅｒ  ｎｏｄｅ）間を連結する中間ノードには光電回線分配装置が設置される。前記光電回線分配装置は各チャネル信号の伝送及び割り当ての基本的役割以外にも、光ネットワーク上の通信量（ｔｒａｆｆｉｃ）、異常輻輳（ｃｏｎｇｅｓｔｉｏｎ）及びネットワークの成長（ｇｒｏｗｔｈ）を最適化し、ネットワークの生存性（ｓｕｒｖｉｖａｂｉｌｉｔｙ）を改善する重要な役割をする。特に、波長分割多重化システムの光電回線分配装置は、各種の波長帯の光信号を受信及び送信するために逆多重化器、光受信器、光電回線分配スイッチ、制御器、光送信器及び多重化器を備える。
【０００３】
一方、光通信システムにはプロトコル（ｐｒｏｔｏｃｏｌ）と言われる多様な伝送フォーマットが適用されており、前記伝送フォーマットは相異なる伝送速度（ｂｉｔ  ｒａｔｅ）で情報伝送を遂行している。代表的な伝送フォーマットにはＳＤＨ／ＳＯＮＥＴ（Ｓｙｎｃｈｒｏｎｏｕｓ  Ｄｉｇｉｔａｌ  Ｈｉｅｒａｒｃｈｙ／Ｓｙｎｃｈｒｏｎｏｕｓ  Ｏｐｔｉｃａｌ  ＮＥＴｗｏｒｋ）、ＦＤＤＩ（Ｆｉｂｅｒ  Ｄｉｓｔｒｉｂｕｔｅｄ  Ｄａｔａ  Ｉｎｔｅｒｆａｃｅ）、ＥＳＣＯＮ（Ｅｎｔｅｒｐｒｉｓｅ  Ｓｙｓｔｅｍｓ  ＣＯＮｎｅｃｔｉｖｉｔｙ）、光ファイバチャネル（Ｆｉｂｅｒ  Ｃｈａｎｎｅｌ）、ギガビットイーサネット（登録商標）（Ｇｉｇａｂｉｔ  Ｅｔｈｅｒｎｅｔ（登録商標））、ＡＴＭ（Ａｓｙｎｃｈｒｏｎｏｕｓ  Ｔｒａｎｓｆｅｒ  Ｍｏｄｅ）などがあり、これらはそれぞれ１２５Ｍｂ／ｓ、１５５Ｍｂ／ｓ、２００Ｍｂ／ｓ、６２２Ｍｂ／ｓ、１０６２Ｍｂ／ｓ、１．２５Ｇｂ／ｓ、２．５Ｇｂ／ｓの伝送速度を有している。
【０００４】
上述したように、光回線分配装置の光受信器には多様な伝送速度を有した光信号が入力され得る。従って、前記光受信器は入力光信号の伝送速度に依存しなく、多様な伝送速度を有したプロトコルに柔軟性を有するように伝送速度に対する自己診断（Ｓｅｌｆ−ｈｅａｌｉｎｇ）手段を設けている。
【０００５】
図１は従来技術による光受信器の自己診断装置を示した構成図である。図１に示したように、従来技術の実施形態による光受信器は、入力光信号を電気的受信信号に変換する光電変換部１０、前記光電変換部から出力された受信信号を増幅する増幅部２０、前記増幅された受信信号を予め設定された時間だけ遅延した遅延信号と前記受信信号を排他的論理和演算した認識信号を出力する伝送速度判別部３０、前記受信信号を受信して基準クロックによってクロック及びデータを再生して出力するクロック／データ再生部４０、伝送速度変換信号に応答して前記基準クロックを発生する伝送速度信号発生部５０及び前記伝送速度判別部３０から出力された認識信号の電圧レベルに基づいて、受信信号の伝送速度を判断し、前記判断された伝送速度に基づいて伝送速度変換信号を出力する制御部６０を備える。
【０００６】
図２は従来技術に従う制御部の自己診断過程を示した流れ図である。図２に示したように、従来技術に従う制御部による自己診断過程は、増幅部２０から出力されるロス（ＬＯＳ）信号があるか否かによって光信号が受信されたか否かを判断する光信号受信判断段階Ｓ１０と、入力された認識信号の電圧レベルによって光信号の伝送速度が変化されたかを判断する伝送速度変化判断段階Ｓ２０と、前記伝送速度変化判断段階Ｓ２０で伝送速度が変化されたと判断された場合、変化された伝送速度に対応する伝送速度変換信号を伝送速度信号発生部５０に出力する伝送速度変換指示段階Ｓ３０と、を含む。
【０００７】
しかし、上述したように従来の光受信器の自己診断装置は、光受信器内部の温度変化による補正手段を有していないので、温度変化時、伝送速度判断に誤りが発生する虞が高い。即ち、伝送速度を判断する基準として使用している認識信号の直流レベル値は温度により変化される値であるが、これを温度変化に従う補正なしにそのまま伝送速度判断基準に使用するために、伝送速度判別誤りが発生する問題点があった。
【０００８】
【発明が解決しようとする課題】
本発明の目的は、光受信器内部の温度変化による伝送速度判断誤りを防止するための光受信器の自己診断装置及び方法を提供することにある。
【０００９】
【課題を解決するための手段】
前記のような目的を達成するために、本発明による光受信器の自己診断装置は、
入力光信号を電気的受信信号に変換する光電変換部と、
前記光電変換部から出力された受信信号を増幅する増幅部と、
前記増幅された受信信号を予め設定された時間だけ遅延した遅延信号と前記受信信号とを排他的論理和演算した認識信号を出力する伝送速度判別部と、
前記受信信号を受信して基準クロックによってクロック及びデータを再生して出力するクロック／データ再生部と、
伝送速度変換信号に応答して前記基準クロックを発生する伝送速度信号発生部と、
前記光受信器の内部温度感知信号を出力する温度感知部と、
前記温度感知信号に対応する光受信器の内部温度と前記伝送速度判別部から出力された認識信号の電圧レベルとに基づいて予め貯蔵された温度による電圧レベル変化値から選択された値により、受信信号の伝送速度を判断し、前記判断された伝送速度に基づいて伝送速度変換信号を出力する制御部と、を含む。
【００１０】
また、本発明による温度感知部、伝送速度判別部及びクロック／データ再生部を備えた光受信器の自己診断方法は、
ロス信号があるか否かによって光信号が受信されたか否かを判断する光信号受信判断段階と、
光信号が受信されたと判断された場合、クロック／データ再生部から出力されるロッキング信号があるか否かによって前記クロック／データ再生部の安定化を判断するクロック／データ再生部安定化判断段階と、
前記クロック／データ再生部が安定化されていない場合、前記温度感知部から出力された内部温度感知信号から光受信器の内部温度を検出する現在温度検出段階と、
前記伝送速度判別部から出力された直流レベルを検出する直流レベル検出段階と、
予め貯蔵された温度による直流レベル変化テーブルに基づいて、前記現在温度検出段階及び直流レベル検出段階でそれぞれ検出された光受信器の現在温度と直流レベルとに基づいて、受信信号の伝送速度を判断する伝送速度判断段階と、
前記伝送速度判断段階で判断された伝送速度に基づいて前記クロック／データ再生部に伝送速度変換信号を出力する伝送速度変換信号出力段階と、を含む。
【００１１】
【発明の実施の形態】
以下、本発明の望ましい実施形態を添付図を参照しつつ詳細に説明する。下記の発明において、本発明の要旨のみを明瞭にする目的で、関連した公知機能又は構成に関する具体的な説明は省略する。
【００１２】
図３は本発明の望ましい実施形態による光受信器の自己診断装置を示した構成図である。図３に示したように、本発明の望ましい実施形態による自己診断装置は、光電変換部１００、増幅部２００、伝送速度判別部３００、クロック／データ再生部４００、伝送速度信号発生部５００、信号安定化部６００、温度感知部７００及び制御部８００を含む。
【００１３】
前記光電変換部１００は、入力光信号を電気的受信信号に変換する。前記増幅部２００は、前記光電変換部１００から出力された受信信号を増幅する。
前記伝送速度判別部３００は、前記増幅された受信信号を予め設定された時間だけ遅延した遅延信号と前記受信信号とを排他的論理和演算した認識信号を出力する。
前記クロック／データ再生部４００は、前記受信信号を受信して基準クロックに基づいてクロック及びデータを再生して出力する。
前記伝送速度信号発生部５００は、伝送速度変換信号に応答して前記基準クロックを発生する。
【００１４】
前記信号安定化部６００は、前記クロック／データ再生部４００から出力されるロッキング信号をフィルタリングして前記制御部に出力する。
前記温度感知部７００は、光受信器の内部温度感知信号を出力する。
前記制御部８００は、前記温度感知信号に対応する光受信器の内部温度と前記伝送速度判別部３００から出力された認識信号の電圧レベルに基づいて、予め貯蔵された温度による電圧レベル変化値から選択された値により受信信号の伝送速度を判断し、前記判断された伝送速度に基づいて伝送速度変換信号を出力する。
【００１５】
図４は本発明の望ましい実施形態による自己診断過程を示した流れ図である。図４に示したように、本発明の望ましい実施形態による自己診断過程は、光信号受信判断段階Ｓ１００、クロック／データ再生部安定化判断段階Ｓ２００、現在温度検出段階Ｓ３００、直流レベル検出段階Ｓ４００、伝送速度判断段階Ｓ５００及び伝送速度変換信号出力段階Ｓ６００を含む。
【００１６】
前記光信号受信判断段階Ｓ１００は、ロス信号があるか否かによって光信号が受信されたか否かを判断する段階である。光信号が受信されない場合、光源シュートダウン段階Ｓ１１０に進行する。
【００１７】
前記クロック／データ再生部安定化判断段階Ｓ２００は、光信号が受信されたと判断された場合、クロック／データ再生部４００から出力されるロッキング信号があるか否かによって前記クロック／データ再生部４００の安定化を判断する段階である。即ち、前記クロック／データ再生部４００からＰＬＬロッキング信号が出力される場合には、安定化状態と判断し、前記クロック／データ再生部からＰＬＬロッキング解除（Ｌｏｓｓ  ｏｆ  ｌｏｃｋｉｎｇ）信号が出力される場合には、非安定化状態と判断する。
【００１８】
前記現在温度検出段階Ｓ３００は、前記クロック／データ再生部４００が安定化されていない場合、前記温度感知部７００から出力された内部温度感知信号に基づいて、光受信器の内部温度を検出する段階である。
前記直流レベル検出段階Ｓ４００は、前記伝送速度判別部３００から出力された直流レベルを検出する段階である。
【００１９】
前記伝送速度判断段階Ｓ５００は、予め貯蔵された温度による直流レベル変化テーブルに基づいて、前記現在温度検出段階Ｓ３００及び直流レベル検出段階Ｓ４００でそれぞれ検出された光受信器の現在温度と直流レベルとに基づいて、受信信号の伝送速度を判断する段階である。前記温度による直流レベル変化テーブルはメモリに貯蔵されたルックアップ（Ｌｏｏｋ−ｕｐ）テーブルである。このように伝送速度判断段階Ｓ５００で、温度による直流レベル変化値を考慮することにより、伝送速度判断誤りを低減することができる。
【００２０】
前記伝送速度変換信号出力段階Ｓ６００は、前記伝送速度判断段階Ｓ５００で判断された伝送速度によって前記クロック／データ再生部４００に伝送速度変換信号を出力する段階である。
【００２１】
【発明の効果】
上述したように、本発明による光受信器の自己診断装置及びその方法は、入力された光信号の伝送速度判断時、光受信器内部の温度変化による直流レベル変化値を考慮することにより、伝送速度判断誤りを防止することができる効果がある。
以上、本発明の実施形態を添付図面を参照して説明したが、本発明はこの特定の実施形態に限るものでなく、各種の変形及び修正が本発明の範囲を逸脱しない限り、該当分野における通常の知識を持つ者により可能なのは明らかである。
【図面の簡単な説明】
【図１】従来技術による光受信器の自己診断装置を示した構成図である。
【図２】従来技術による制御部の自己診断過程を示した流れ図である。
【図３】本発明の望ましい実施形態による光受信器の自己診断装置を示した構成図である。
【図４】本発明の望ましい実施形態による制御部の自己診断過程を示した流れ図である。
【符号の説明】
１００  光電変換部
２００  増幅部
３００  伝送速度判別部
４００  クロック／データ再生部
５００  伝送速度信号発生部
６００  信号安定化部
７００  温度感知部
８００  制御部
【図１】
0003612045.tif 000002
【図２】
0003612045.tif 000003
【図３】
0003612045.tif 000004
【図４】
0003612045.tif 000005